(57)【特許請求の範囲】
【請求項１】
被測定波形をデジタルデータに変換し、デジタルデータを圧縮して液晶モニタに波形表示する波形測定装置において、
１画面分の波形表示を、前記液晶モニタの各画素における圧縮後のデジタルデータの重複頻度数に応じてフレーム単位で時分割して輝度を変化させて波形表示させる表示処理部を設け、
この表示処理部は前記液晶モニタの各画素の輝度を複数のフレームを組とした１サイクル内で変化させるものであって、各画素の重複頻度数を輝度情報に変換する頻度−輝度変換手段と、この頻度−輝度変換手段の輝度情報に応じて１サイクルをフレーム単位で時分割して各画素それぞれの輝度を変化させて前記液晶モニタに波形表示させる時分割手段とを備え、
この時分割手段は、擬似ガンマ調整することを特徴とする波形測定装置。
【請求項２】
前記輝度情報と前記１サイクル中の時分割のパターンとの対応関係を記憶する時分割パターンメモリを設け、
前記時分割手段は、前記時分割パターンメモリの対応関係に基づいて輝度を変化させることを特徴とする請求項１記載の波形測定装置。
【発明の詳細な説明】
【技術分野】
【０００１】
本発明は、ＡＤ変換器が被測定波形をデジタルデータに変換し、変換されたデジタルデータを圧縮して液晶モニタに波形表示する波形測定装置に関し、詳しくは、入力ビット数の少ない液晶モニタであっても、階調数を増加することができる波形測定装置に関するものである。
【背景技術】
【０００２】
波形測定装置は、アナログ方式からデジタル方式へと変化し、波形測定装置の表示部もＣＲＴ（Cathode Ray Tube）からＬＣＤ（Liquid Crystal Display：液晶モニタ）へと変化している。
【０００３】
そして、デジタル方式の波形測定装置は、アクイジョンメモリの容量増大およびＡＤ変換器の分解能向上により、１回の波形取得で数千〜数万点（時間軸方向）のデジタルデータを取得し、振幅（縦軸方向）の分解能も十数ビットある。
【０００４】
一方、波形測定装置に使用されるＬＣＤの画素数は、横軸（時間軸）のデータ数や縦軸の分解能に比較して少ない（特に横軸方向）。そのため、縦軸、横軸の画素数に合わせてデジタルデータを圧縮して表示させる。従って、ＬＣＤの１画素に複数のデジタルデータを重複させて表示させると共に、重複頻度数も画素ごとに異なる。
【０００５】
また、従来のＣＲＴは、残像特性があり、繰り返し生じる波形部分は発生回数の少ない波形部分よりも明るく表示される。一方、デジタル方式のＬＣＤでは残像特性がないため、重複頻度が高い波形部分も重複頻度が低い波形部分でも同じ明るさで表示される。
【０００６】
そこで、ＬＣＤの階調レンジを利用してＣＲＴを擬似させ、波形の重複頻度・発生頻度等に応じてＬＣＤの輝度を変えさせて表示させている（例えば、特許文献１、２参照）また、重複頻度によって色を変化させて表示させるものもある（例えば、特許文献３参照）。
【０００７】
【特許文献１】特開平７−１２８３７１号公報
【特許文献２】特許第３０８４７２９号
【特許文献３】特開２００６−３００５７３号公報
【発明の開示】
【発明が解決しようとする課題】
【０００８】
図９は、従来の波形測定装置の表示例であり、パルス状のノイズが重畳している波形を測定したものである。画素上での重複頻度が高い波形部分（正弦波状の波形部分）は輝度が明るく、発生頻度が少なく画素上での重複頻度も少なくなるパルス状のノイズ部分は輝度が低い。
【０００９】
また、放送に関する分野では、正弦波の周波数掃引信号の測定を行なうが、この場合、群遅延特性、位相ひずみ、振幅のクリップ等をＬＣＤの表示画面から判別することが非常に重要である。しかし、観測対象のこれらの現象は、各軸を圧縮して表示した場合、各画素での重複頻度が少ないためＬＣＤ上での輝度も低い。
【００１０】
波形測定装置の場合、装置全体の小型化・低コスト化等を優先するため、表示部のＬＣＤの画面が小さく、ＬＣＤへのデジタル入力ビット数もテレビ用ＬＣＤ，パソコン用ＬＣＤ，高精細モニタ向けのＬＣＤ等と比較して著しく少ない。
【００１１】
具体的には、波形測定装置のＬＣＤの画面の大きさが６．４インチ、８．４インチ、１０．４インチ程度に対し、テレビ用ＬＣＤ等は数十インチもある。また、波形測定装置のＬＣＤへの入力ビット数が５ビット程度に対し、テレビ用ＬＣＤ等は１０ビットを超えるものもある。
【００１２】
説明を簡単にするため、波形測定装置用のＬＣＤのデジタル入力ビット数が、２ビットとして説明する。入力ビット数が２ビットの場合、ＬＣＤの各画素（ＶＧＡならば６４０×４８０画素）の輝度情報としては４種類（２＾２＝４）になる。従って、各画素での重複頻度をＬＣＤの輝度情報に変換する場合、重複頻度数（以下、頻度数と略す）によって４つの領域に各画素のデータを区分する。
【００１３】
例えば、単位時間における頻度数０〜ｉ回までを頻度最小領域（ＬＣＤへの入力ビット値「００」）、頻度数（ｉ＋１）〜ｊ回までを頻度中小領域（入力ビット値「０１」）、頻度数（ｊ＋１）回〜ｋ回までを頻度中大領域（入力ビット値「１０」）、頻度数（ｋ＋１）回以上を頻度最大領域（入力ビット値「１１」）に区分する。そして、頻度最小領域のデータは、ＬＣＤ上では最小輝度で表示され、頻度最大領域のデータは、最大輝度で表示される。もちろん、０＜ｉ＜ｊ＜ｋである。
【００１４】
しかしながら、一般的なＬＣＤの階調特性は、ＣＲＴモニタと同一のガンマ２．２に調整されている。ここで、図１０は、ＬＣＤの階調特性（ガンマ２．２とガンマ１）を示した図であり、横軸がＬＣＤへの入力信号（ビット値）、縦軸がＬＣＤの出力（輝度）である。
【００１５】
また、図１１は、ＬＣＤの入力ビット数が２ビットの場合のＬＣＤの表示例を示した図であり、図１１（ａ）は、ガンマ２．２の表示例であり、図１１（ｂ）は、ガンマ１の表示例である。
【００１６】
図１０に示すように、入力ビット数が２ビットの場合、ＬＣＤの階調数は４個であり、ビット値「００」（入力０［％］に対応）は、ＬＣＤでの出力の輝度０％であり、ビット値「０１」（入力３３．３［％］に対応）は、出力の輝度１０［％］弱である。そのため、ガンマ２．２では、ビット値「００」と「０１」とのＬＣＤ上での輝度差の判別が困難であり（図１１参照）、図９に示すような最も観測をしたい波形部分であるノイズ部分のデータ（発生頻度が中小領域のデータ）、群遅延特性・位相ひずみ等を見逃すという問題があった。
【００１７】
そこで本発明の目的は、入力ビット数の少ない液晶モニタであっても、階調数を増加することができる波形測定装置を実現することにある。
【課題を解決するための手段】
【００１８】
請求項１記載の発明は、
被測定波形をデジタルデータに変換し、デジタルデータを圧縮して液晶モニタに波形表示する波形測定装置において、
１画面分の波形表示を、前記液晶モニタの各画素における圧縮後のデジタルデータの重複頻度数に応じてフレーム単位で時分割して輝度を変化させて波形表示させる表示処理部を設け、
この表示処理部は前記液晶モニタの各画素の輝度を複数のフレームを組とした１サイクル内で変化させるものであって、各画素の重複頻度数を輝度情報に変換する頻度−輝度変換手段と、この頻度−輝度変換手段の輝度情報に応じて１サイクルをフレーム単位で時分割して各画素それぞれの輝度を変化させて前記液晶モニタに波形表示させる時分割手段とを備え、
この時分割手段は、擬似ガンマ調整することを特徴とするものである。
請求項２記載の発明は、請求項１記載の発明において、
前記輝度情報と前記１サイクル中の時分割のパターンとの対応関係を記憶する時分割パターンメモリを設け、
前記時分割手段は、前記時分割パターンメモリの対応関係に基づいて輝度を変化させることを特徴とするものである。
【発明の効果】
【００１９】
本発明によれば以下の効果がある。
表示処理部が、１画面分の波形表示をフレーム単位で時分割表示するので、人間が目視した場合の積分効果により異なる輝度で認識される。これにより、入力ビット数の少ない小型の液晶モニタであっても、視覚的効果により階調数（階調レンジ）が拡大し頻度情報をきめ細かく表示することができ、表示情報量が増加する。従って、液晶モニタの画素上での重複頻度数が少なくとも、観測が必要な波形部分を見逃すことがなくなる。
【発明を実施するための最良の形態】
【００２０】
以下図面を用いて本発明の実施の形態を説明する。
［第１の実施例］
図１は、本発明の第１の実施例を示した構成図である。
図１において、入力部１０には被測定波形が入力され、被測定波形はデジタルデータに変換されて出力される。アクイジョンメモリ２０は、入力部１０からのデジタルデータを格納する。頻度メモリ２１は、頻度に関するデータを格納する。
【００２１】
表示処理部３０は、頻度−輝度変換手段３１、時分割手段３２を有し、アクイジョンメモリ２０のデジタルデータの読み出し、頻度メモリ２１へのデータの入出力、表示用の画像データを生成する。
【００２２】
表示メモリ４０は、表示処理部３０の画像データを格納する。表示部５０は、ＬＣＤドライバ５１、ＬＣＤ５２を有し、表示メモリ４０の画像データを、表示処理部３０の指示に従って表示する。ＬＣＤドライバ５１には表処理部３０の時分割手段３２からビット値（ＬＣＤ５２用のデジタル入力ビット）が入力され、このビット値に対応した輝度でＬＣＤ５２に表示させる。ＬＣＤ５２は、装置の前面に設けられる。
【００２３】
このような装置の動作を説明する。ここで、図２は、図１に示す装置の頻度メモリ２１、頻度−輝度変換手段３１、時分割手段３２、ＬＣＤ５２の表示画面の動作の一例を示した図である。
【００２４】
入力部１０が、入力される被測定波形の振幅調整を行なって、ＡＤ変換器（図示せず）でデジタルデータに変換し、所定長のデジタルデータをアクイジョンメモリ２０に格納する。
【００２５】
そして、所定長のデジタルデータの取得後、すなわちメモリ２０への格納終了後、表示処理部３０がメモリ２０のデジタルデータを読み出す。一般的に、デジタルデータのデータ数（数千〜数万点）、振幅の分解能（１０数ビット）は、ＬＣＤ５２の画素数（例えば、ＶＧＡなら６４０×４８０画素（ドット））よりも著しく多い。
【００２６】
そこで、表示処理部３０の圧縮手段（図示せず）が、横軸方向、縦軸方向それぞれにデジタルデータの圧縮を行なう。この際圧縮手段（図示せず）が、圧縮後のデジタルデータがＬＣＤ５２の各画素それぞれに何点重複するかという頻度数の情報を画素のアドレスに対応付けて圧縮を行なう。
【００２７】
そして、頻度−輝度変換手段３１が、圧縮手段によって求められた各画素それぞれの頻度数のデータ（頻度データと呼ぶ）を頻度数でソートし、頻度メモリ２１にソート順に頻度データを格納する。頻度データのデータ総数は、ＬＣＤ５２の画素数（ＶＧＡの場合、６４０×４８０個）になる。
【００２８】
そして、頻度−輝度変換手段３１が、ＬＣＤ５２の各画素のアドレスと関連付けされている頻度データを輝度情報に変換する。具体的には、ＬＣＤ５２へのデジタル入力ビット数が２ビットの場合、輝度領域として４個の基本データ領域に表示メモリ４０を分ける。すなわち、頻度最大の領域、頻度中大の領域、頻度中小の領域、頻度最小の領域である。
【００２９】
そして、変換手段３１が、頻度最大の領域内、頻度中大の領域内、頻度中小の領域内それぞれに、さらにＮ個の領域を追加する。図２では、Ｎ＝２として説明する。ここで、頻度最大の領域から順にＬ（１）〜Ｌ（１０）とする。
【００３０】
そして、変換手段３１が、表示メモリ４０の各領域Ｌ（１）〜Ｌ（１０）に頻度データを格納していくが、頻度データの頻度数が含まれる各領域Ｌ（１）〜Ｌ（１０）に保存する。
【００３１】
例えば、
領域Ｌ（１）に頻度数９００以上の頻度データを格納し、
領域Ｌ（２）に頻度数８００〜８９９の範囲の頻度データを格納し、
領域Ｌ（３）に頻度数７００〜７９９の範囲の頻度データを格納し、
領域Ｌ（４）に頻度数６００〜６９９の範囲の頻度データを格納し、
領域Ｌ（５）に頻度数５００〜５９９の範囲の頻度データを格納し、
領域Ｌ（６）に頻度数４００〜４９９の範囲の頻度データを格納し、
領域Ｌ（７）に頻度数３００〜３９９の範囲の頻度データを格納し、
領域Ｌ（８）に頻度数２００〜２９９の範囲の頻度データを格納し、
領域Ｌ（９）に頻度数１００〜１９９の範囲の頻度データを格納し、
領域Ｌ（１０）に頻度数０〜９９の範囲の頻度データを格納する。
【００３２】
各領域Ｌ（１）〜Ｌ（１０）の数値範囲は、あらかじめ設定しておくとよい。また、上記の各領域の数値範囲は一例であり、アクイジョンメモリ２０に格納されるデジタルデータ数、ＡＤ変換器の分解能、強調したい頻度数の頻度データ等により、範囲はどのように区分けしてもよく、数値範囲を均等にしなくてもよい。
【００３３】
これにより、表示メモリ４０には、ＬＣＤ５２上の各画素それぞれの輝度情報（頻度データがどの領域Ｌ（１）〜Ｌ１０）に属するかの情報）を有する画像データが格納される。
【００３４】
そして、時分割手段３２が、１サイクルごとに表示メモリ４０から画像データを読み出し、この画像データから各フレームごとの映像信号（ＬＣＤ５２の各画素の輝度を示すビット値「１１」、「１０」、「０１」、「００」）を生成し、ＬＣＤドライバ５１に出力する。これにより、ＬＣＤドライバ５１が、ＬＣＤ５２の各画素をビット値に対応する輝度で波形表示させる。
【００３５】
ここで、１サイクルとは、「基本データ領域」＋「追加データ領域数Ｎ」のフレーム数であり、図２では、１個の基本データ領域に２個の追加データ領域が存在するので、合計３個（１個＋Ｎ（＝２）個）のフレームを組としたものが１サイクルとなる。また、ＬＣＤ５２のフレーム周波数は、ＣＲＴモニタと同様に通常６０［Ｈｚ］（もちろん、規格によって６０［Ｈｚ］以外のフレーム周波数も存在する）なので、１サイクルは５０［ｍｓ］になる。従って、表示メモリ４０から１サイクルごとに画像データを読み出し、３個のフレームを組として読み出した１画面分の画像データによる波形表示を行なう。
【００３６】
具体的には、時分割手段３２が、領域Ｌ（１）に属する頻度データの画素を表示させる場合、１サイクル中の１フレーム〜３フレーム目全てを最大輝度となるビット値「１１」を出力する。領域Ｌ（２）の場合、１フレームおよび２フレーム目はビット値「１１」、３フレーム目は最小輝度となるビット値「００」を出力する。領域Ｌ（３）の場合、１フレーム目はビット値「１１」、２フレーム目および３フレーム目はビット値「００」を出力する。
【００３７】
すなわち、時分割手段３２が、各領域Ｌ（１）〜Ｌ（１０）それぞれで１サイクルを１〜３フレームに時分割し、下記ビット値の順番で出力する。
【００３８】
領域Ｌ（１）のビット値の順番「１１」，「１１」，「１１」。
領域Ｌ（２）のビット値の順番「１１」，「１１」，「００」。
領域Ｌ（３）のビット値の順番「１１」，「００」，「００」。
領域Ｌ（４）のビット値の順番「１０」，「１０」，「１０」。
領域Ｌ（５）のビット値の順番「１０」，「１０」，「００」。
領域Ｌ（６）のビット値の順番「１０」，「００」，「００」。
領域Ｌ（７）のビット値の順番「０１」，「０１」，「０１」。
領域Ｌ（８）のビット値の順番「０１」，「０１」，「００」。
領域Ｌ（９）のビット値の順番「０１」，「００」，「００」。
領域Ｌ（１０）のビット値の順番「００」，「００」，「００」。
【００３９】
ここで、図３は、図１に示す装置のＬＣＤ５２の表示例を示した図である。図３（ａ）は、従来の波形測定装置の表示例であり、図３（ｂ）は図１に示す装置の表示例である。
【００４０】
このように時分割手段３２が、１サイクルを時分割してフレームごと（つまり、フレーム周波数）でビット値を変化させＬＣＤ５２の各画素の輝度を変化させるが、このビット値の変化（ＬＣＤ５２の画素の輝度変化）は、人間の目が識別できる時間よりも早い。従って、人間の目でＬＣＤ５２の表示画面を目視した場合、目の積分効果により２＾ｘ・（１＋Ｎ）−Ｎの階調変化として捕らえられる。ここで、ｘは、ＬＣＤのデジタル入力ビット数、Ｎは、追加データ数である。図２に示す装置の場合、デジタル入力ビット数＝２ビット、追加データ数Ｎ＝２なので、１０階調で表示されることになる。これにより、入力ビット数の少ないＬＣＤ５２であっても、階調レンジを拡大することができ、画素上での重複頻度の少ない観測が必要な波形部分（ノイズ部分、群遅延特性、位相ひずみ等）でも見逃すことがなくなる。
【００４１】
［第２の実施例］
図４は、本発明の第２の実施例を示した構成図である。ここで、図１、図２と同一のものは同一符号を付し説明を省略する。図４において、時分割パターンメモリ２２が新たに設けられる。時分割パターンメモリ２２には時分割のパターンおよび各領域Ｌ（１）〜Ｌ（１０）に対する時分割のパターンの対応関係が記憶され、時分割手段３２によって読み出される。
【００４２】
Ｎ＝２の場合（１サイクルを３フレームで時分割）を一例として、図５を用いて詳細に説明する。時分割パターンメモリ２２には、あらかじめ１サイクルにおける各フレームのビット値の時分割パターンが入力される（図５（ａ）参照）。
【００４３】
例えば、下記のパターンが記憶される。
パターンＰ（１）の時分割のビット値の順番「１１」，「１１」，「１１」。
パターンＰ（２）の時分割のビット値の順番「１１」，「１１」，「００」。
パターンＰ（３）の時分割のビット値の順番「１１」，「００」，「００」。
パターンＰ（４）の時分割のビット値の順番「１０」，「１０」，「１０」。
パターンＰ（５）の時分割のビット値の順番「１０」，「１０」，「００」。
パターンＰ（６）の時分割のビット値の順番「１０」，「００」，「００」。
パターンＰ（７）の時分割のビット値の順番「０１」，「０１」，「０１」。
パターンＰ（８）の時分割のビット値の順番「０１」，「０１」，「００」。
パターンＰ（９）の時分割のビット値の順番「０１」，「００」，「００」。
パターンＰ（１０）の時分割のビット値の順番「００」，「００」，「００」。
【００４４】
そして、各領域Ｌ（１）〜Ｌ（１０）それぞれと上記時分割のパターンＰ（１）〜Ｐ（１０）の対応関係が複数個記憶される。例えば、ガンマ２．２で表示する場合、ガンマ１に擬似ガンマ調整して表示する場合、頻度数が小さい画素を強調表示する場合等である（図５（ｂ）参照）。
【００４５】
このような装置の動作を説明する。
頻度−輝度変換手段３１が、各領域Ｌ（１）〜Ｌ（１０）に頻度データそれぞれを割り振って輝度情報に変換するまでの動作は同様なので説明を省略する。
【００４６】
そして、時分割手段３２が、時分割パターンメモリ２２から、パターンＰ（１）〜Ｐ（１０）および各領域Ｌ（１）〜Ｌ（１０）に割り当てられたパターンＰ（１）〜Ｐ（１０）の対応関係を読み出す。どのような表示とするかはあらかじめ設定しておく。
【００４７】
さらに、時分割手段３２が、１サイクルごとに表示メモリ４０から画像データを読み出し、時分割パターンメモリ２２の対応関係、パターンＰ（１）〜Ｐ（１０）に基づいて、読み出した画像データを各フレームごとの映像信号（ＬＣＤ５２の各画素の輝度を示すビット値「１１」、「１０」、「０１」、「００」）を生成し、ＬＣＤドライバ５１に出力する。これにより、ＬＣＤドライバ５１が、ＬＣＤ５２の各画素をビット値に対応する輝度で波形表示させる。
【００４８】
ここで、図６は、図１に示す装置のＬＣＤ５２のその他の表示例を示した図である。図６（ａ）はガンマ２．２の表示例であり、図６（ｂ）はガンマ１に擬似ガンマ調整した場合の表示例であり、図６（ｃ）は頻度が少ない波形を輝度最大となるように擬似ガンマ調整して反転表示した表示例である。
【００４９】
また、図７は、ＬＣＤ５２の階調特性（擬似ガンマ１調整、反転表示）を示した図であり、横軸がＬＣＤへの入力信号（ビット値）、縦軸がＬＣＤの出力（輝度）である。
【００５０】
例えば、図６（ｂ）に示すようにガンマ２．２からガンマ１へ補正（擬似ガンマ調整）して表示させた場合、ガンマ値を変更したのと同様な効果が得られ、頻度数が中間部分の中間調が強調され、黒のなかに沈んでいた画像情報を視覚化することが可能となる。
【００５１】
また、図６（ｃ）に示すように反転して補正表示させた場合、画素での頻度数が少なくガンマ２．２ではＬＣＤ５２上で暗く表示されるような波形部分でも、頻度数の少ない波形部分ほど逆に明るく表示させることにより、頻度数が小さい波形部分でも輝度最大で表示され見逃しやすい現象も画像情報として強調表示される。なお、頻度数が最小（例えば、０回）のものは輝度を一番暗くして表示している。
【００５２】
このように、時分割パターンメモリ２２に所望の擬似ガンマ補正となるような各領域Ｌ（１）〜Ｌ（１０）と各パターンＰ（１）〜Ｐ（１０）との対応関係を格納し、この対応関係に基づいて時分割手段３２がＬＣＤ５２に波形表示させる。これにより、見逃しやすい波形部分を強調して表示させることができる。
【００５３】
なお、本発明はこれに限定されるものではなく、以下に示すようなものでもよい。
（ａ）図４に示す装置において、時分割パターンメモリ２２を用いて、時分割手段３２が擬似ガンマ調整する構成を示したが、時分割パターンメモリ２２を設けずに、時分割手段３２が、ガンマ２．２からガンマ１へと補正し、擬似ガンマ調整を行なってもよい。
【００５４】
ガンマ２．２からガンマ１への時分割の変換の一例を図８に示す。図８に示すように、時分割手段３２が、各領域Ｌ（１）〜Ｌ（１０）のパターンＰ（１）〜Ｐ（１０）への割り当てを輝度最大側へデータをシフトし、シフト後に輝度最小側へ再度データシフトすることにより、ガンマ１への擬似ガンマ調整してもよい。
【００５５】
（ｂ）時分割手段３２が、１サイクルを３フレーム（Ｎ＝２の場合）として時分割表示する構成を示したが、入力部１０の波形取得や表示処理部３０の表示処理が５０［ｍｓ］で終了しない場合、１サイクルを（１＋Ｎ）の倍数としてもよい。例えば、３フレームでなく、９フレームを１サイクルとする場合、１〜３フレーム、４〜６フレーム、７〜９フレームで時分割してもよい。例えば、図１に示す装置で領域Ｌ（２）の輝度データの場合、１〜３フレームはビット値「１１」、４〜６フレームはビット値「１１」、７〜９フレームはビット値「００」の映像信号を、ＬＣＤドライバ５１に出力する。
【００５６】
（ｃ）頻度最大の基本データ領域のＬ（１）の追加データ領域Ｌ（２），Ｌ（３）に対応する部分は、２フレーム目、３フレーム目を”００”としたが、一つ下の基本データ領域Ｌ（４）のビット値「１０」にあわせてもよい。
【００５７】
例えば、
領域Ｌ（１）のビット値の順番「１１」，「１１」，「１１」とし、
領域Ｌ（２）のビット値の順番「１１」，「１１」，『１０』とし、
領域Ｌ（３）のビット値の順番「１１」，『１０』，『１０』とし、
領域Ｌ（４）のビット値の順番「１０」，「１０」，「１０」としてもよい。なお、２重かぎ括弧は、ビット値を変更した部分である。
【００５８】
そして、頻度中大の基本データ領域Ｌ（４）の追加データ領域Ｌ（５）、Ｌ（６）のビット値も同様に「００」でなく、一つしたの基本データ領域Ｌ（７）のビット値「０１」にあわせてもよい。
【００５９】
（ｄ）追加データ領域Ｌ（３）、Ｌ（６）に対応する部分は、２フレーム目、３フレーム目を「００」としたが、下記のように「００」以外のビット値と組合わせてもよい。
例えば、
領域Ｌ（３）のビット値の順番「１１」，『１０』，『００』や、
領域Ｌ（３）のビット値の順番「１１」，『１０』，『０１』としたり、
領域Ｌ（６）のビット値の順番「１０」，『０１』，『００』としてもよい。
【００６０】
（ｅ）追加データ領域Ｌ（２）、Ｌ（５）、Ｌ（８）は、１サイクル中で３フレーム目にビット値を「００」とする構成を示したが、ビット値「００」は１サイクル中で１回表示されればよく、何フレーム目でもよい。同様に、追加データ領域Ｌ（３）、Ｌ（６）、Ｌ（９）は、１サイクル中で２フレーム目と３フレーム目とにビット値を「００」とする構成を示したが、ビット値「００」は１サイクル中で２回表示されればよく、何フレーム目でもよい。
【００６１】
（ｆ）ＬＣＤ５２用の入力ビット数を２ビットとする構成を示したが、何ビットであってもよい。
（ｇ）追加データ数をＮ＝２個とする構成にしたが、１個または３個以上としてもよい。
（ｈ）ＬＣＤ５２をＶＧＡとして説明したが、画素数はいくつでもよい。
（ｉ）擬似ガンマ補正を、ガンマ１にする表示例、反転表示させる表示例を示したが、どのような擬似ガンマ補正を行なってもよい。
【図面の簡単な説明】
【００６２】
【図１】本発明の第１の実施例を示した構成図である。
【図２】図１に示す装置を詳細に示した構成図である。
【図３】表示部の表示例を示した図である。
【図４】本発明の第２の実施例を示した構成図である。
【図５】時分割パターンメモリ２２のデータ例を示した図である。
【図６】表示部のその他の表示例を示した図である。
【図７】図４に示す装置の階調特性を示した図である。
【図８】本発明の第３の実施例を示した構成図である。
【図９】従来の波形測定装置における波形測定結果の表示例を示した図である。
【図１０】従来の波形測定装置における階調特性を示した図である。
【図１１】従来の波形測定装置における表示例を示した図である。
【符号の説明】
【００６３】
２２  時分割パターンメモリ
３０  表示処理部
３１  頻度−輝度変換手段
３２  時分割手段
５２  ＬＣＤ（液晶モニタ）
【図１】
0005152476.tif 000002
【図４】
0005152476.tif 000003
【図５】
0005152476.tif 000004
【図７】
0005152476.tif 000005
【図８】
0005152476.tif 000006
【図１０】
0005152476.tif 000007
【図２】
0005152476.tif 000008
【図３】
0005152476.tif 000009
【図６】
0005152476.tif 000010
【図９】
0005152476.tif 000011
【図１１】
0005152476.tif 000012